(57)【要約】【課題】同軸ケーブル用シールド端子のインピーダンスを整合させることが可能なスリーブであって、同軸ケーブル用シールド端子を設計する上での自由度を向上させるスリーブを提供すること。【解決手段】スリーブ１の内面には、該内面と絶縁体Ｗｂとの間に空気層を形成するための、該スリーブ１の内部に向かって突出する突起１３ａ、１３ｂ、１３ｃが形成され、絶縁体Ｗｂは、スリーブ１の内部において、突起１３ａ、１３ｂ、１３ｃによって支持される。【選択図】図２
2010232046.tif 000002
【特許請求の範囲】
【請求項１】
内部に同軸ケーブルの端末部に露出された絶縁体を挿嵌されて、前記同軸ケーブルの端末部に露出された編組と前記絶縁体との間に配置されるスリーブであって、
該スリーブの内面には、該内面と前記絶縁体との間に空気層を形成するための、該スリーブの内部に向かって突出する突起が形成され、
前記絶縁体は、前記スリーブの内部において、前記突起によって支持される、
ことを特徴とするスリーブ。
【請求項２】
前記スリーブは、中空円筒状であって、
前記突起は、前記スリーブの軸心と、該スリーブの内部に挿嵌された前記絶縁体の軸心とが一致するよう、該スリーブの内面に形成される、
ことを特徴とする請求項１に記載のスリーブ。
【請求項３】
前記突起は、前記スリーブの周方向に沿って形成され、
前記絶縁体は、前記スリーブの内部において、前記突起と接触する少なくとも３点によって支持される、
ことを特徴とする請求項２に記載のスリーブ。
【請求項４】
前記突起は、前記スリーブの軸心方向に沿って形成され、
前記絶縁体は、前記スリーブの内部において、前記突起と接触する少なくとも６点によって支持される、
ことを特徴とする請求項３に記載のスリーブ。
【発明の詳細な説明】
【技術分野】
【０００１】
本発明は、芯線、その芯線の外周を覆う絶縁体、その絶縁体の外周を覆う編組、および、その編組を覆うシースにより構成される電線の端末部において、絶縁体と編組の間に挿入されるスリーブに関し、特にスリーブの形状に関するものである。
【背景技術】
【０００２】
アンテナ線などの高周波信号伝送に用いられる同軸ケーブルは、一般に、芯線の外周を絶縁体を介して編組により被覆され、さらにその外周をシースにより被覆された構成となっている。そして、このような同軸ケーブルを相手側の機器や同軸ケーブル等に接続するコネクタとして、同軸ケーブルの編組を相手側コネクタにアース接続して電磁波や静電気などの電気的ノイズを遮断するようにした同軸ケーブル用シールド端子が知られている（例えば、特許文献１参照。）。
【０００３】
図４は、従来の同軸ケーブル用シールド端子および同軸ケーブルの斜視図である。図４に示されるように、特許文献１に開示された同軸ケーブル用シールド端子１００は、導電性板材により形成された外導体端子１１３と、遮蔽体１１４から構成されており、シースＷｄ、編組Ｗｃ、及び絶縁体Ｗｂをそれぞれ所定長さで切除して芯線Ｗａ、絶縁体Ｗｂ、編組Ｗｃを順次露出させた同軸ケーブルＷの端末部に固定される。
【０００４】
外導体端子１１３は、円筒状に形成されたシールド部１１３ａと、シールド部１１３ａの後方に延設されると共にシールド部１１３ａより小径の円筒状に形成されたスリーブ１１３ｂとを有している。シールド部１１３ａは、その内部に同軸ケーブルＷの端末部に露出された芯線Ｗａおよびこの芯線Ｗａに装着された内導体端子１１１を収容して電磁的にシールドする。
【０００５】
スリーブ１１３ｂは、同軸ケーブルＷとの接続の際に、その内部に同軸ケーブルＷの端末部に露出された絶縁体Ｗｂを挿嵌されて、同軸ケーブルＷの端末部に露出された編組Ｗｃとその内側の絶縁体Ｗｂとの間に差し込まれる。
【０００６】
遮蔽体１１４は、シールド部１１３ａの後端の開口部１１３ｃを塞ぐように外導体端子１１３に接合され、後端に設けられたシース加締め部１１４ｂは、加締められることにより同軸ケーブルＷのシースＷｄを把持する。これにより、遮蔽体１１４は外導体端子１１３と共に同軸ケーブルＷの端末部に固定される。
【０００７】
遮蔽体１１４が外導体端子１１３と接合された状態においてスリーブ１１３ｂに対応する位置に設けられた編組加締め部１１４ａは、スリーブ１１３ｂの上から加締められ、スリーブ１１３ｂを覆う編組Ｗｃはスリーブ１１３ｂと編組加締め部１１４ａとにより狭持される。これにより、外導体端子１１３および遮蔽体１１４は編組Ｗｃと電気的に接続される。そして、外導体端子１１３が相手側コネクタのアース端子に電気的に接続されることにより、同軸ケーブルＷの編組Ｗｃが相手側コネクタにアース接続されるようになっている。
【先行技術文献】
【特許文献】
【０００８】
【特許文献１】特開２００３−２９７４９３号公報
【発明の概要】
【発明が解決しようとする課題】
【０００９】
ところで、上述のように同軸ケーブルＷの端末部に電気的に接続された同軸ケーブル用シールド端子は、インピーダンスを整合させることが可能な簡易な形状が求められている。しかしながら、上述の同軸ケーブル用シールド端子は、図５の、従来の同軸ケーブル用シールド端子を同軸ケーブルに固定後の、スリーブを通過する面の断面図に示すように、編組Ｗｃに接触するスリーブ１１３ｂと、芯線Ｗａとの間の空間は全て、絶縁体Ｗｂによって占められているため、この絶縁体Ｗｂの材質、形状などを適宜変更することによってしか、インピーダンスを整合させることができなかった。これは、同軸ケーブル用シールド端子を設計する上での自由度を大きく制限することになってしまう。
【００１０】
本発明は、上述した事情に鑑みてなされたものであり、その目的は、同軸ケーブル用シールド端子のインピーダンスを整合させることが可能なスリーブであって、同軸ケーブル用シールド端子を設計する上での自由度を向上させるスリーブを提供することにある。
【課題を解決するための手段】
【００１１】
前述した目的を達成するために、本発明に係るスリーブは、下記（１）〜（４）を特徴としている。
（１）  内部に同軸ケーブルの端末部に露出された絶縁体を挿嵌されて、前記同軸ケーブルの端末部に露出された編組と前記絶縁体との間に配置されるスリーブであって、
該スリーブの内面には、該内面と前記絶縁体との間に空気層を形成するための、該スリーブの内部に向かって突出する突起が形成され、
前記絶縁体は、前記スリーブの内部において、前記突起によって支持される、
こと。
（２）  上記（１）の構成のスリーブにおいて、
前記スリーブは、中空円筒状であって、
前記突起は、前記スリーブの軸心と、該スリーブの内部に挿嵌された前記絶縁体の軸心とが一致するよう、該スリーブの内面に形成される、
こと。
（３）  上記（２）の構成のスリーブにおいて、
前記突起は、前記スリーブの周方向に沿って形成され、
前記絶縁体は、前記スリーブの内部において、前記突起と接触する少なくとも３点によって支持される、
こと。
（４）  上記（３）の構成のスリーブにおいて、
前記突起は、前記スリーブの軸心方向に沿って形成され、
前記絶縁体は、前記スリーブの内部において、前記突起と接触する少なくとも６点によって支持される、
こと。
【００１２】
上記（１）の構成のスリーブによれば、同軸ケーブル用シールド端子のバレルによってスリーブが編組とともに加締められた際のインピーダンスの低下を補うために、絶縁体とスリーブの内面との間に空気層が位置するように突起を設けてインピーダンスを上昇させることによって、インピーダンスの整合を図っている。この結果、信号の高周波成分の減衰を抑えて、該信号を同軸ケーブルＷ上を伝送させることができる。
上記（２）の構成のスリーブによれば、同軸ケーブル用シールド端子のバレルによってスリーブとともに編組を加締めた際に芯線と編組との距離が短くなる箇所が発生するが、このように軸心を一致させておけば、芯線と編組との距離の変化を最低限に抑えることができる。この結果、上記加締めに伴うインピーダンスのズレを最小限に抑えることができる。
上記（３）の構成のスリーブによれば、軸心方向とは直交する二次元方向への絶縁体の移動を抑えつつ、スリーブの内部において該絶縁体を安定して固定することができる。
上記（４）の構成のスリーブによれば、スリーブの軸心方向と絶縁体の軸心方向とを常に一致させた状態で、スリーブの内部において該絶縁体を安定して固定することができる。
【発明の効果】
【００１３】
本発明によれば、同軸ケーブル用シールド端子のバレルによってスリーブが編組とともに加締められた際のインピーダンスの低下を補うために、絶縁体とスリーブの内面との間に空気層が位置するように突起を設けてインピーダンスを上昇させることによって、インピーダンスの整合を図っている。この結果、信号の高周波成分の減衰を抑えて、該信号を同軸ケーブルＷ上を伝送させることができる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】（ａ）が本発明の第１の実施形態のスリーブの斜視図、（ｂ）が本発明の第１の実施形態のスリーブの正面図、（ｃ）が本発明の第１の実施形態のスリーブの折り曲げ前の展開図である。
【図２】（ａ）が電線に挿嵌された本発明の第１の実施形態のスリーブの斜視図、（ｂ）が電線に挿嵌された本発明の第１の実施形態のスリーブの正面図である。
【図３】（ａ）が電線に挿嵌された本発明の第２の実施形態のスリーブの正面図、（ｂ）が電線に挿嵌された本発明の第２の実施形態のスリーブの側断面図
【図４】従来の同軸ケーブル用シールド端子および同軸ケーブルの斜視図である。
【図５】従来の同軸ケーブル用シールド端子を同軸ケーブルに固定後の、スリーブを通過する面の断面図である。
【発明を実施するための形態】
【００１６】
（第１の実施形態）
図１は、（ａ）が本発明の第１の実施形態のスリーブの斜視図、（ｂ）が本発明の第１の実施形態のスリーブの正面図、（ｃ）が本発明の第１の実施形態のスリーブの折り曲げ前の展開図である。図２は、（ａ）が電線に挿嵌された本発明の第１の実施形態のスリーブの斜視図、（ｂ）が電線に挿嵌された本発明の第１の実施形態のスリーブの正面図である。以下、図１、図２を参照して、本発明の第１の実施形態について詳細に説明する。
【００１７】
スリーブ１は、図１（ａ）、図１（ｂ）に示すように、長方形状の平板導体を内部を中空にするように円筒状に折り曲げて形成された、中空円筒状の形状をしている。スリーブ１には、スリット１１と、複数の切れ目１２ａ、１２ｂ、１２ｃと、突起１３ａ、１３ｂ、１３ｃと、を含んで構成される。スリット１１は、スリーブ１の周方向の端部を向かい合わせることによってスリーブ１の軸心方向に形成された切れ目である。複数の切れ目１２ａ、１２ａ、１２ｂ、１２ｂ、１２ｃ、１２ｃは、スリーブ１の周方向に沿って所定の長さＬ１だけ切り込まれた切れ目であり、切れ目１２ａ、１２ａ、切れ目１２ｂ、１２ｂ、および切れ目１２ｃ、１２ｃは、スリーブ１の軸心方向に対して向かい合うように形成されている。突起１３ａ、１３ｂ、１３ｃは、切れ目１２ａ、１２ａ、切れ目１２ｂ、１２ｂ、または切れ目１２ｃ、１２ｃによって挟まれるスリーブ１の部位をそれぞれ、スリーブ１の外部から内部に向けて押圧することにより形成される。各突起１３ａ、１３ｂ、１３ｃは、スリーブ１の内面から同程度の高さをもって突出していることが好ましい（この理由については後述する。）。
【００１８】
上述のスリーブ１を製造する一例としては、図１（ｃ）に示すように、長方形状の平板導体を用意し、その平板導体の長手方向（円筒状に折り曲げられたスリーブ１の周方向に相当。）に沿って、所定の長さＬ１で、所定の間隔Ｌ２をおいて、２行の切れ目１２ａ、１２ｂ、１２ｃを設ける（切れ込みステップ。）。その後、切れ目１２ａ、１２ａ、切れ目１２ｂ、１２ｂ、または切れ目１２ｃ、１２ｃによって挟まれるスリーブ１の部位をそれぞれ、平板導体の一方の面から他方の面に向けて押圧することによって、平板導体の他方の面から突出する突起１３ａ、１３ｂ、１３ｃを形成する（押圧ステップ。）。その後、平板導体の一方の面が外側に、他方の面が内側に位置するように平板導体を円筒状に折り曲げる（折り曲げステップ。）。なお、押圧ステップと折り曲げステップの順序が入れ替わっても構わない。
【００１９】
なお、突起１３ａ、１３ｂ、１３ｃ形成時（つまり、押圧ステップ時。）のスリーブ１の変形、特に突起１３ａ、１３ｂ、１３ｃとなるべき箇所周辺の変形、を最小限に抑えるために、切れ目１２ａ、１２ａ、１２ｂ、１２ｂ、１２ｃ、１２ｃを設けて切れ目１２ａ、１２ａ、切れ目１２ｂ、１２ｂ、または切れ目１２ｃ、１２ｃによって挟まれるスリーブ１の部位のみを変形させるようにした。このような切れ目１２ａ、１２ａ、１２ｂ、１２ｂ、１２ｃ、１２ｃは、本発明に必須のものではなく、上述の平板導体の一方の面から他方の面に向けて突出する突起がありさえすればよい。
【００２０】
このようなスリーブ１は、図２（ａ）、図２（ｂ）に示すように、内部に同軸ケーブルＷの端末部に露出された絶縁体Ｗｂを挿嵌されて、同軸ケーブルＷの端末部に露出された編組Ｗｃと絶縁体Ｗｂとの間に配置される。このとき、絶縁体Ｗｂは、突起１３ａ、１３ｂ、１３ｃによって支持される、具体的には、絶縁体Ｗｂは、各突起１３ａ、１３ｂ、１３ｃと接触点Ｐａ、Ｐｂ、Ｐｃの３点において接触しており、接触点Ｐａ、Ｐｂ、Ｐｃによって、スリーブ１に３点支持されている。一方、接触点Ｐａ、Ｐｂ、Ｐｃを除く絶縁体Ｗｂの外周においては、絶縁体Ｗｂとスリーブ１の内面との間に空気が占めることになる（以後、絶縁体Ｗｂとスリーブ１の内面との間に位置する空間を空気層と称する。）。
【００２１】
上述のように絶縁体Ｗｂとスリーブ１の内面との間に空気層が位置することによって、同軸ケーブルＷの端末部に電気的に接続された同軸ケーブル用シールド端子の外導体端子（例えば、図４に示す外導体端子１１３）と、内導体端子（例えば、図４に示す内導体端子１１１）とのインピーダンスが、図５に示すように空気層が存在しない場合と比較して、高い値となる。
【００２２】
ところで、同軸ケーブルＷの端末部に露出された編組Ｗｃと絶縁体Ｗｂとの間にスリーブ１が配置された後、スリーブ１を覆う編組Ｗｃは、スリーブ１の上から同軸ケーブル用シールド端子のバレル（例えば、図４に示す編組加締め部１１４ａ）によって加締められ、スリーブ１とバレルとによって狭持される。このバレルによってスリーブ１の上から編組Ｗｃを加締めると、中空円筒状のスリーブ１の形状が変形し、そのスリーブ１の内部に位置する絶縁体Ｗｂの形状もまた変形することになる。具体的には、スリーブ１の断面が楕円状に押しつぶされ、その内部に位置する絶縁体Ｗｂの断面も楕円状に押しつぶされる。このように絶縁体Ｗｂが押しつぶされることにより同軸ケーブルＷにおいて絶縁体Ｗｂを挟む芯線Ｗａと編組Ｗｃとの距離が短くなる箇所が発生すると、その箇所においてインピーダンスが小さくなってしまう。
【００２３】
このような、同軸ケーブル用シールド端子のバレルによって加締められた際のインピーダンスの低下を補うために、本発明では、絶縁体Ｗｂとスリーブ１の内面との間に空気層が位置することによってインピーダンスを上昇させることによって、インピーダンスの整合を図っている。この結果、信号の高周波成分の減衰を抑えて、該信号を同軸ケーブルＷ上を伝送させることができる。
【００２４】
また、各突起１３ａ、１３ｂ、１３ｃがスリーブ１の内面から同程度の高さをもって突出している場合、同軸ケーブルＷの中央に位置する芯線Ｗａの軸心と、スリーブ１の軸心とは一致する。このようにそれぞれの軸心が一致すると、同軸ケーブルＷにおいて絶縁体Ｗｂを挟む芯線Ｗａと編組Ｗｃとの距離の均一化を図ることができ（同軸ケーブル用シールド端子のバレルによって編組Ｗｃを加締めた際に芯線Ｗａと編組Ｗｃとの距離が短くなる箇所が発生するが、このように軸心を一致させておけば、芯線Ｗａと編組Ｗｃとの距離の変化を最低限に抑えることができる。）、その結果、インピーダンスのズレを最小限に抑えることができる。
【００２５】
また、本発明の第１の実施形態では、絶縁体Ｗｂを突起１３ａ、１３ｂ、１３ｃによって、より詳細には接触点Ｐａ、Ｐｂ、Ｐｃによって、スリーブ１の内部によって３点支持している。これによって、軸心方向とは直交する二次元方向（図２（ｂ）における紙面上下左右の方向）への絶縁体Ｗｂの移動を抑えつつ、スリーブ１の内部において該絶縁体Ｗｂを安定して固定することができる。
【００２６】
なお、本発明の第１の実施形態では、突起１３ａ、１３ｂ、１３ｃをスリーブ１の内面の周方向に沿って３つ設け、各突起１３ａ、１３ｂ、１３ｃ毎に絶縁体Ｗｂが接触する構成について説明した。これは、軸心方向とは直交する二次元方向への絶縁体Ｗｂの移動を抑えつつ、スリーブ１の内部において該絶縁体Ｗｂを安定して固定するために、少なくとも３点で絶縁体Ｗｂに接触する必要があったためである。別の形態としては、突起１３ａ、１３ｂ、１３ｃをスリーブ１の内面の周方向に沿って４つ以上設けてもよい。
【００２７】
また、本発明の第１の実施形態では、各突起１３ａ、１３ｂ、１３ｃは、スリーブ１の軸心方向に沿って延びている。このため、絶縁体Ｗｂと各突起１３ａ、１３ｂ、１３ｃは、図２（ｂ）の接触点Ｐａ、Ｐｂ、Ｐｃを通過する軸心方向に延びる線（図２（ｂ）では、紙面の奥行きに向かって延びる線）上で接触している。このように、絶縁体Ｗｂとは、軸心方向に延びる線上で各突起１３ａ、１３ｂ、１３ｃに支持されることによって、スリーブ１の軸心方向と絶縁体Ｗｂの軸心方向とを常に一致させた状態で、スリーブ１の内部において該絶縁体Ｗｂを安定して固定することができる。
【００２８】
なお、スリーブ１の軸心方向と絶縁体Ｗｂの軸心方向とを一致させた状態で該絶縁体Ｗｂをスリーブ１の内部に固定するためには、必ずしも、軸心方向に延びる線上で絶縁体Ｗｂを各突起１３ａ、１３ｂ、１３ｃに接触させる必要はなく、少なくとも、軸心方向に延びる線上の２点で絶縁体Ｗｂを各突起１３ａ、１３ｂ、１３ｃに接触させればよい。これは、すなわち、スリーブ１の軸心方向と絶縁体Ｗｂの軸心方向の三次元のズレを発生させないためには、軸心方向に垂直な２つの各断面においてそれぞれ３点ずつ、合計６点で絶縁体Ｗｂをスリーブ１に接触させればよいことを意味する。このような構成を実現するためには、各突起１３ａ、１３ｂ、１３ｃを軸心方向に２つ並べてやればよい。
【００２９】
（第２の実施形態）
【００３０】
本発明の第１の実施形態では、突起１３ａ、１３ｂ、１３ｃをスリーブ１の内面の周方向に沿って少なくとも３つ設け、各突起１３ａ、１３ｂ、１３ｃ毎に絶縁体Ｗｂが接触する構成について説明した。本発明の第２の実施形態では、スリーブ２の内面の周方向に沿う環状の突起２３を設け、その環状の突起の頂部が絶縁体Ｗｂの外周に接触する構成について説明する。図３は、（ａ）が電線に挿嵌された本発明の第２の実施形態のスリーブの正面図、（ｂ）が電線に挿嵌された本発明の第２の実施形態のスリーブの側断面図である。以下、図３を参照して、本発明の第２の実施形態について詳細に説明する。
【００３１】
スリーブ２は、図３（ａ）、図３（ｂ）に示すように、長方形状の平板導体を内部を中空にするように円筒状に折り曲げて形成された、中空円筒状の形状をしている。スリーブ２には、スリット１１と、突起２３ａ、２３ｂ、２３ｃを含んで構成される。スリット１１は、スリーブ２の周方向の端部を向かい合わせることによってスリーブ２の軸心方向に形成された切れ目である。突起２３ａ、２３ｂ、２３ｃは、スリーブ２の内面の周方向に沿う環状の突起２３であり、各突起２３ａ、２３ｂ、２３ｃはその頂部が所定の間隔Ｌ３を置いて、スリーブ２の軸心方向に配置されている。
【００３２】
このようなスリーブ２は、図３（ａ）、図３（ｂ）に示すように、内部に同軸ケーブルＷの端末部に露出された絶縁体Ｗｂを挿嵌されて、同軸ケーブルＷの端末部に露出された編組Ｗｃと絶縁体Ｗｂとの間に配置される。このとき、絶縁体Ｗｂは、突起２３ａ、２３ｂ、２３ｃによって支持される、具体的には、絶縁体Ｗｂは、該絶縁体Ｗｂの周方向に沿って、各突起２３ａ、２３ｂ、２３ｃの頂部が環状Ｃａ、Ｃｂ、Ｃｃに接触している（第１の実施形態との対応を考えると、第１の実施形態の突起１３ａ、１３ｂ、１３ｃをスリーブ１の内面の周方向に沿って無限個設けたともいえる。）。一方、絶縁体Ｗｂと各突起２３ａ、２３ｂ、２３ｃとの環状の接触箇所Ｃａ、Ｃｂ、Ｃｃを除く絶縁体Ｗｂの外周においては、絶縁体Ｗｂとスリーブ２の内面との間に空気が占めることになる（以後、絶縁体Ｗｂとスリーブ２の内面との間に位置する空間を空気層と称する。）。
【００３３】
上述のように絶縁体Ｗｂとスリーブ２の内面との間に空気層が位置することによって、同軸ケーブルＷの端末部に電気的に接続された同軸ケーブル用シールド端子の外導体端子（例えば、図４に示す外導体端子１１３）と、内導体端子（例えば、図４に示す内導体端子１１１）とのインピーダンスが、図５に示すように空気層が存在しない場合と比較して、高い値となる。
【００３４】
本発明の第２の実施形態は、第１の実施形態と同様、絶縁体Ｗｂとスリーブ２の内面との間に空気層が位置することによってインピーダンスを上昇させることによって、インピーダンスの整合を図っている。この結果、信号の高周波成分の減衰を抑えて、該信号を同軸ケーブルＷ上を伝送させることができる。
【００３５】
また、各突起２３ａ、２３ｂ、２３ｃがスリーブ２の内面から同程度の高さをもって突出している場合、同軸ケーブルＷの中央に位置する芯線Ｗａの軸心と、スリーブ２の軸心とは一致する。このようにそれぞれの軸心が一致すると、同軸ケーブルＷにおいて絶縁体Ｗｂを挟む芯線Ｗａと編組Ｗｃとの距離の均一化を図ることができ、その結果、インピーダンスの均一化を図ることができる。
【００３６】
また、本発明の第２の実施形態では、絶縁体Ｗｂを突起２３ａ、２３ｂ、２３ｃによって、該絶縁体Ｗｂの周方向に沿って、各突起２３ａ、２３ｂ、２３ｃの頂部が環状Ｃａ、Ｃｂ、Ｃｃに接触している。これによって、軸心方向とは直交する二次元方向への絶縁体Ｗｂの移動を抑えつつ、スリーブ２の内部において該絶縁体Ｗｂを安定して固定することができる。
【００３７】
また、本発明の第２の実施形態では、各突起２３ａ、２３ｂ、２３ｃは、スリーブ２の軸心方向に並んで配置されている。このように、絶縁体Ｗｂとは、軸心方向で３つの突起２３ａ、２３ｂ、２３ｃに支持されることによって、スリーブ２の軸心方向と絶縁体Ｗｂの軸心方向とを常に一致させた状態で、スリーブ２の内部において該絶縁体Ｗｂを安定して固定することができる。
【００３８】
なお、スリーブ２の軸心方向と絶縁体Ｗｂの軸心方向とを一致させた状態で該絶縁体Ｗｂをスリーブ２の内部に固定するためには、必ずしも、３つの突起２３ａ、２３ｂ、２３ｃに支持される必要はなく、少なくとも、２つの突起によって支持されればよい。これは、すなわち、スリーブ２の軸心方向と絶縁体Ｗｂの軸心方向の三次元のズレを発生させないためには、軸心方向に垂直な２つの各断面においてそれぞれ３点ずつ、合計６点で絶縁体Ｗｂをスリーブ２に接触させればよいことを意味する。
【００３９】
以上、本発明の第１、第２の実施の形態のスリーブによれば、同軸ケーブル用シールド端子のバレルによって加締められた際のインピーダンスの低下を補うために、絶縁体Ｗｂとスリーブ１、２の内面との間に空気層が位置するように突起を設けてインピーダンスを上昇させることによって、インピーダンスの整合を図っている。この結果、信号の高周波成分の減衰を抑えて、該信号を同軸ケーブルＷ上を伝送させることができる。
【００４０】
また、本発明のスリーブは、突起によって同軸ケーブルを内部に固定する構成であるため、その突起の突出方向の高さを適宜変えることにより、絶縁体の外径が異なる同軸ケーブルを内部に固定することができる。つまり、絶縁体の外径が異なる同軸ケーブル毎に、形状の異なる平板導体（この平板導体は、円筒状に折り曲げられてスリーブとなる。）を用意する必要が無く、一つの形状の平板導体の突起の高さを調整するだけで、外径の異なる絶縁体を内部に支持可能なスリーブを製造することができる。
【符号の説明】
【００４１】
１  スリーブ
１１  スリット
１２ａ、１２ｂ、１２ｃ  切れ目
１３ａ、１３ｂ、１３ｃ  突起
２  スリーブ
２３ａ、２３ｂ、２３ｃ  突起
Ｗ  同軸ケーブル
Ｗａ  芯線
Ｗｂ  絶縁体
Ｗｃ  編組
Ｗｄ  シース
【図１】
2010232046.tif 000003
【図２】
2010232046.tif 000004
【図３】
2010232046.tif 000005
【図４】
2010232046.tif 000006
【図５】
2010232046.tif 000007